【手続補正書】
【提出日】平成25年12月17日(2013.12.17)
【手続補正１】
【補正対象書類名】特許請求の範囲
【補正対象項目名】全文
【補正方法】変更
【補正の内容】
【特許請求の範囲】
【請求項１】
情報の書き込みが可能であり且つ試薬情報が記憶された記録媒体が付されており、特定の試薬を収容した試薬容器を設置するための試薬容器設置部と、
前記試薬容器設置部に設けられた開閉可能なカバーと、
試薬容器設置部に設置された試薬容器に付された記録媒体に記憶された情報を読み出す処理が可能な読取部と、
試薬容器設置部に設置された試薬容器に付された記録媒体に情報を書き込む処理が可能な書込部と、
前記カバーの開放および閉鎖を検知するセンサと、
前記センサが前記カバーの開放を検知した場合、前記試薬設置部に設置された試薬容器の記録媒体から試薬情報を読み取るよう前記読取部を制御し、前記読取部により読み出された試薬情報に特定の試薬を示す情報が含まれており、且つ、前記センサが前記カバーの閉鎖を検知した場合、前記試薬容器設置部に設置された試薬容器に付された記録媒体に情報を書き込むよう書込部を制御する制御部と、
を備える、検体分析装置。
【請求項２】
情報の書き込みが可能であり且つ試薬情報が記憶された記録媒体が付されており、第２の特定の試薬を収容した第２試薬容器を設置するための第２試薬容器設置部と、
前記第２試薬容器設置部に設けられた開閉可能な第２カバーと、
第２試薬容器設置部に設置された試薬容器に付された記録媒体に記憶された情報を読み出す処理が可能な第２読取部と、
第２試薬容器設置部に設置された試薬容器に付された記録媒体に情報を書き込む処理が可能な第２書込部と、
前記第２カバーの開放および閉鎖を検知する第２センサと、を備え、
前記制御部は、前記第２センサが前記第２カバーの開放を検知した場合、前記試薬設置部に設置された試薬容器の記録媒体から試薬情報を読み取るよう前記第２読取部を制御し、前記第２読取部により読み出された試薬情報に第２の特定の試薬を示す情報が含まれており、且つ、前記第２センサが前記第２カバーの閉鎖を検知した場合、前記第２試薬容器設置部に設置された試薬容器に付された記録媒体に情報を書き込むよう第２書込部を制御する、請求項１に記載の検体分析装置。
【請求項３】
前記書込部は、交換後の試薬容器に収容されている試薬の使用開始時期に関する情報を、前記記録媒体に書き込む、請求項１又は２に記載の検体分析装置。
【請求項４】
出力部をさらに備え、
前記制御部は、前記記録媒体に書き込まれた使用開始時期に関する情報に基づいて、前記出力部に試薬の有効期限切れを示す情報を出力させる、
請求項３に記載の検体分析装置。
【請求項５】
前記記録媒体には、試薬の製造後有効期限に関する情報が記憶されており、
前記制御部は、前記使用開始時期に関する情報及び前記製造後有効期限に関する情報に基づいて、前記出力部に試薬の有効期限切れを示す情報を出力させる、
請求項４に記載の検体分析装置。
【請求項６】
出力部をさらに備え、
前記制御部は、前記記録媒体への情報の書き込み完了を確認した後に、試薬交換の完了を示す情報を前記出力部に出力させる、
請求項１乃至５の何れか１項に記載の検体分析装置。
【請求項７】
前記制御部は、前記記録媒体への情報の書き込み完了を確認した後に、交換後の試薬容器に収容されている試薬を検体の分析に使用可能とするための試薬交換シーケンスを実行し、前記試薬交換シーケンスの完了後に、試薬交換の完了を示す情報を前記出力部に出力させる、
請求項６に記載の検体分析装置。
【請求項８】
前記読取部および書込部は、前記試薬容器設置部に設置された試薬容器に付された記録媒体から情報を読み出す読み出し処理と、前記試薬容器設置部に設置された試薬容器に付された記録媒体に情報を書き込む書き込み処理とを実行可能に構成された読み書き部である、請求項１乃至７の何れか１項に記載の検体分析装置。
【請求項９】
前記制御部は、前記読取部により読み出された情報に使用開始時期に関する情報が含まれているか否かを判定し、使用開始時期に関する情報が含まれていない場合、設置された試薬容器に付された記録媒体に、設置された試薬容器に収容されている試薬の使用開始時期に関する情報を書き込むよう前記書込部を制御する、請求項１乃至８の何れか１項に記載の検体分析装置。
【請求項１０】
前記制御部は、前記読取部により読み出された情報に使用開始時期に関する情報が含まれているか否かを判定し、使用開始時期に関する情報が含まれている場合には、読取部により読み出された試薬情報に特定試薬を示す情報が含まれていた場合であっても、情報の書き込み処理を実行しないように前記書込部を制御する、請求項１乃至８の何れか１項に記載の検体分析装置。
【請求項１１】
前記試薬容器設置部に設置された試薬容器から特定試薬を吸引する吸引管と、
前記カバーを開放したときに前記吸引管が試薬容器から退出し、前記カバーを閉鎖したときに前記吸引管が試薬容器へ進入するように、前記カバーの開閉と連動して前記吸引管を移動させる連動部と、
をさらに備える、請求項１乃至１０の何れか１項に記載の検体分析装置。
【請求項１２】
前記試薬容器は、前記吸引管により穿刺可能な蓋部を備え、
前記連動部は、前記カバーを閉鎖したときに前記吸引管が蓋部を穿刺して試薬容器へ進入するように、前記カバーの開閉と連動して前記吸引管を移動させる、請求項１１に記載の検体分析装置。
【請求項１３】
前記制御部は、試薬容器の液量を監視し、監視結果に基づいて、試薬容器の交換が必要か否かを判定する、請求項１乃至１２の何れか１項に記載の検体分析装置。
【請求項１４】
試薬容器に収容された特定試薬と検体とから測定試料を調製する試料調製部と、
前記試料調製部により調製された測定試料を導入するフローセルを備え、フローセルを通過する測定試料から、所定の血球を検出する検出部と、
をさらに備える、請求項１乃至１３の何れか１項に記載の検体分析装置。
【請求項１５】
前記試薬容器設置部は、検体に含まれる所定の検出対象物を染色するための染色液が収容される試薬容器を設置するためのものである、請求項１乃至１４の何れか１項に記載の検体分析装置。
【手続補正２】
【補正対象書類名】明細書
【補正対象項目名】０００６
【補正方法】変更
【補正の内容】
【０００６】
上述した課題を解決するために、本発明の一の態様の検体分析装置は、情報の書き込みが可能であり且つ試薬情報が記憶された記録媒体が付されており、特定の試薬を収容した試薬容器を設置するための試薬容器設置部と、前記試薬容器設置部に設けられた開閉可能なカバーと、試薬容器設置部に設置された試薬容器に付された記録媒体に記憶された情報を読み出す処理が可能な読取部と、試薬容器設置部に設置された試薬容器に付された記録媒体に情報を書き込む処理が可能な書込部と、前記カバーの開放および閉鎖を検知するセンサと、前記センサが前記カバーの開放を検知した場合、前記試薬設置部に設置された試薬容器の記録媒体から試薬情報を読み取るよう前記読取部を制御し、前記読取部により読み出された試薬情報に特定の試薬を示す情報が含まれており、且つ、前記センサが前記カバーの閉鎖を検知した場合、前記試薬容器設置部に設置された試薬容器に付された記録媒体に情報を書き込むよう書込部を制御する制御部と、を備える。
【手続補正３】
【補正対象書類名】明細書
【補正対象項目名】０００７
【補正方法】変更
【補正の内容】
【０００７】
この態様において、前記検体分析装置は、報の書き込みが可能であり且つ試薬情報が記憶された記録媒体が付されており、第２の特定の試薬を収容した第２試薬容器を設置するための第２試薬容器設置部と、前記第２試薬容器設置部に設けられた開閉可能な第２カバーと、第２試薬容器設置部に設置された試薬容器に付された記録媒体に記憶された情報を読み出す処理が可能な第２読取部と、第２試薬容器設置部に設置された試薬容器に付された記録媒体に情報を書き込む処理が可能な第２書込部と、前記第２カバーの開放および閉鎖を検知する第２センサと、を備え、前記制御部は、前記第２センサが前記第２カバーの開放を検知した場合、前記試薬設置部に設置された試薬容器の記録媒体から試薬情報を読み取るよう前記第２読取部を制御し、前記第２読取部により読み出された試薬情報に第２の特定の試薬を示す情報が含まれており、且つ、前記第２センサが前記第２カバーの閉鎖を検知した場合、前記第２試薬容器設置部に設置された試薬容器に付された記録媒体に情報を書き込むよう第２書込部を制御する構成であってもよい。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１７
【補正方法】変更
【補正の内容】
【００１７】
また、上記態様において、前記制御部は、前記読取部により読み出された情報に使用開始時期に関する情報が含まれているか否かを判定し、使用開始時期に関する情報が含まれている場合には、読取部により読み出された試薬情報に特定試薬を示す情報が含まれていた場合であっても、情報の書き込み処理を実行しないように前記書込部を制御するように構成されていてもよい。